(57)【要約】【課題】  サムターン回しを防止するサムターン装置の提供。【解決手段】  回転動作によりデッドボルトを進退させるサムターン軸１２と、このサムターン軸に係脱可能とされ、サムターン軸と係合してサムターン軸を回転させるツマミ１１と、このツマミに、前記サムターン軸の径方向へ移動可能に設けられた係止部材６５，７５と、この係止部材に形成された軸挿通孔６６，７６と、前記サムターン軸の操作モードの位置と空転モードの位置とにおいて周方向に形成され、係止部材の軸挿通孔内周が係止可能な係止溝１７ａ，１７ｂ，１７ｃと、係止部材を径方向外方に付勢する付勢手段２８とを備え、係止部材が操作モード位置の係止溝に位置するときはツマミがサムターン軸に係合し、係止部材が空転モード位置の係止溝に位置するときはツマミがサムターン軸と離脱する。【選択図】      図１
2006257840.tif 000002
【特許請求の範囲】
【請求項１】
回転動作により錠手段を施錠解錠するサムターン軸と、
このサムターン軸に係脱可能とされ、サムターン軸と係合してサムターン軸を回転させるツマミとを備えるサムターン装置であって、
サムターン軸が、その基端から基端方向に一体に設けられたガイド軸部を有し、
このガイド軸部に、軸方向２位置に周方向に形成された第１、第２係止溝が形成され、
前記ツマミが、
サムターン軸に対して周方向に回転可能で軸方向に移動不可能なツマミ本体と、
ツマミ本体内に軸方向移動可能に設けられていて、ガイド軸部に挿通され、ガイド軸部に対して軸方向及び回転方向に可動な可動ブロックと、
前記可動ブロックに設けられ、可動ブロックに対してガイド軸部の半径方向へ移動可能な係止部材と、
この係止部材に形成され、前記ガイド軸部を挿通可能な軸挿通孔と、
前記係止部材を径方向外方に付勢する付勢手段とを備え、
前記係止部材の軸挿通孔内にガイド軸部が挿通され、
前記係止部材が第１の係止溝に係止する位置にあるとき前記可動ブロックが前記サムターン軸と離脱しツマミ本体がサムターン軸に対して空転状態（空転モード）となり、前記係止部材が第２の係止溝に係止する位置にあるとき可動ブロックが前記サムターン軸と係合し、ツマミ本体がサムターン軸を操作可能な状態（操作モード）となるモード切換式防犯サムターン装置。
【請求項２】
前記係止部材が、前記サムターン軸の径方向の対向位置であって、前記第１の係止溝と第２の係止溝の間隔に等しい軸方向距離離れた位置に２個設けられてなる請求項１に記載のモード切換式防犯サムターン装置。
【請求項３】
前記係止部材の半径方向外端に、前記係止部材と一体に設けられた押圧部材が設けられ、ツマミ本体の外部から操作可能であることを特徴とする請求項１または２に記載のモード切換式防犯サムターン装置。
【請求項４】
前記係止部材に押圧部材が一体に設けられ、該押圧部材の移動位置が前記ツマミ本体の外部から視認可能であることを特徴とする請求項１または２に記載のモード切換式防犯サムターン装置。
【請求項５】
前記係止部材及び可動ブロックと軸方向の移動を一体に行うブロックカバーが可動ブロックに設けられ、可動ブロックとサムターン軸との係合・離脱に対応して、前記ブロックカバーが、ツマミ本体に収納しもしくはツマミ本体から突出し、これにより操作・空転モードの確認ができることを特徴とする請求項１から４のいずれかに記載のモード切換式防犯サムターン装置。
【請求項６】
ツマミ本体は、サムターン軸に対し回転可能であるとともに、サムターン軸に対する周方向の位置決めがなされることを特徴とする請求項１から５のいずれかに記載のモード切換式防犯サムターン装置。
【発明の詳細な説明】
【技術分野】
【０００１】
本発明は、不正な解錠を防止できる扉錠のサムターン装置に関するものである。
【背景技術】
【０００２】
一戸建てやマンション等の玄関扉を不正に解錠する行為の一つとして、いわゆるサムターン回しが知られている。これは、扉と扉枠との隙間（いわゆるチリ）や、扉にあけた穴に針金や紐等を挿入し、この不正解錠手段で室内側に取り付けてあるサムターン装置のツマミを解錠方向に回転させ、デッドボルトを後退させることにより不正解錠するものである。
【発明の開示】
【発明が解決しようとする課題】
【０００３】
本発明は、上記事情に鑑みてなされたものであり、その主たる目的は、いわゆるサムターン回しを有効に防止するサムターン装置を提供することにある。
【課題を解決するための手段】
【０００４】
上記目的を達成するために、本発明のサムターン装置は、回転動作により錠手段を施錠・解錠するサムターン軸と、このサムターン軸に係脱可能とされ、サムターン軸と係合してサムターン軸を回転させるツマミとを備えるサムターン装置であって、サムターン軸が、その基端から基端方向に一体に設けられたガイド軸部を有し、このガイド軸部に、軸方向２位置に周方向に形成された係止溝が形成され、前記ツマミが、サムターン軸に対して周方向に回転可能で軸方向に移動不可能なツマミ本体と、ツマミ本体内に軸方向移動可能に設けられていて、ガイド軸部に挿通され、ガイド軸部に対して軸方向及び回転方向に可動な可動ブロックと、前記可動ブロックに設けられ、可動ブロックに対してガイド軸部の半径方向へ移動可能な係止部材と、この係止部材に形成され、前記ガイド軸部を挿通可能な軸挿通孔と、前記係止部材を径方向外方に付勢する付勢手段とを備え、前記係止部材の軸挿通孔内にガイド軸部が挿通され、前記係止部材が第１の係止溝に係止する位置にあるとき前記可動ブロックが前記サムターン軸と離脱しツマミ本体がサムターン軸に対して空転状態（空転モード）となり、前記係止部材が第２の係止溝に係止する位置にあるとき可動ブロックが前記サムターン軸と係合し、ツマミ本体がサムターン軸を操作可能な状態（操作モード）となることを特徴とする。
【０００５】
好ましくは、上記構成に加えて前記係止部材が、前記サムターン軸の径方向の対向位置であって、前記第１の係止溝と第２の係止溝の間隔に等しい軸方向距離離れた位置に２個設けられてなることを特徴とするモード切換式防犯サムターン装置である。
【０００６】
また、好ましくは、上記構成に加えて前記係止部材の半径方向外端に、前記係止部材と一体に設けられた押圧部材が設けられ、ツマミ本体の外部から操作可能であることを特徴とするモード切換式防犯サムターン装置である。
【０００７】
また、好ましくは、上記構成に加えて前記係止部材に押圧部材が一体に設けられ、該押圧部材の移動位置が前記ツマミ本体の外部から視認可能であることを特徴とするモード切換式防犯サムターン装置である。
【０００８】
また、好ましくは、上記構成に加えて前記係止部材及び可動ブロックと軸方向の移動を一体に行うブロックカバーが可動ブロックに設けられ、可動ブロックとサムターン軸との係合・離脱に対応して、前記ブロックカバーが、ツマミ本体に収納しもしくはツマミ本体から突出し、これにより操作・空転モードの確認ができることを特徴とするモード切換式防犯サムターン装置である。
【０００９】
また、好ましくは、上記構成に加えてツマミ本体は、サムターン軸に対し回転可能であるとともに、サムターン軸に対する周方向の位置決めがなされることを特徴とするモード切換式防犯サムターン装置である。
【発明の効果】
【００１０】
本発明のサムターン装置によれば、係止部材をサムターン軸の径方向へ移動させてこのサムターン軸を操作可能位置に移動するためには、係止部材を付勢手段に抗してサムターン軸の径方向内側へ移動させる必要がある。しかも、外出時などにはツマミをサムターン軸と離脱状態（空転モード）にしておくことができる。これにより、針金や紐等による不正解錠を有効に防止することができる。また、在宅時には、ツマミをサムターン軸と係合状態に移動させることができ、この状態（操作モード）では通常のサムターンと同じ操作性が得られる。
【発明を実施するための最良の形態】
【００１１】
以下、本発明のサムターン装置について、実施例に基づき更に詳細に説明する。
まず、本実施例のサムターン装置１０が適用される扉錠１の一例を図１４により説明する。図１４において１０２は錠ケースである。この錠ケース１０２は、扉１００の戸先側端部の上下方向略中央部に取り付けられ、扉１００を施錠、解錠するデッドボルト１０８を備えている。デッドボルト１０８は、錠ケース１０２の戸先側端面から出没可能とされており、そのデッドボルト１０８を出没させるための出没操作機構が錠ケース１０２に内蔵されている。
【００１２】
このデッドボルト１０８の出没、つまり前進または後退は、錠ケース１０２内の出没操作機構に連結するように取り付けられる室内側のサムターン装置１０のツマミ１１とこれと一体回転可能なサムターン軸１２、または室外側のシリンダー錠１１０の鍵（不図示）の操作により行われる。
【００１３】
なお、図示の扉錠１は、本発明のサムターン装置１０が適用される一例としての彫込本締錠であるが、本発明のサムターン装置は、ケースロックや面付錠あるいは電気錠などにも適用可能である。
また、扉錠の施錠、解錠機構は、本実施例のようにデッドボルトを出没作動させるものに限らず、サムターンやシリンダーの操作によって、レバーハンドルやノブなどの回転を制御して、施錠、解錠するようにした扉錠にも適用できる。
【００１４】
図１は、本実施例のサムターン装置の縦断面図であり、図１４のＩ−Ｉ線に沿う面で切断した態様の一部を示している。図２は図１のＸ−Ｘ線に沿う断面図、図３は図２のＡ−Ａ断面図、図４は図２のＢ―Ｂ断面図である。
本実施例のサムターン装置１０は、取付座２０と、この取付座２０に回転可能に取り付けられ、回転操作によりデッドボルト１０８を進退させるサムターン軸１２と、このサムターン軸１２に係脱可能とされるツマミ１１とを主要部に備えている。
【００１５】
図１〜図４はツマミ１１がサムターン軸１２と離脱して空転し得る状態（空転モード）を示し、図９〜図１１は、ツマミ１１がサムターン軸１２に係合して一体に回動する状態（操作モード）を示している。図６〜８は、後述する押圧部材６８，７８を押し下げて空転モードと操作モードの間を移動している状態を示している。
図５は、サムターン装置を構成する各部品を示す展開斜視図である。
【００１６】
以下、主に図１〜図４及び図５を参照しながらサムターン装置１０の構成について説明する。以下においては、図１の右側（扉側）を先端方向とし左側を基端方向として説明する。
サムターン装置１０のサムターン軸１２は、先端側を太径部分１２１とし、基端側を細径部分１２２とした段付円柱形であり、その太径部分１２１の基端部１２ａには径方向外側へ拡径してフランジ１５が形成されている。このフランジ１５の中心からサムターン軸１２の基端方向に延出する細形部分１２２によって円柱形状のガイド軸部１７が一体形成されている。
【００１７】
太径部分１２１の基端部１２ａから少し先端側位置に取付溝１３が設けられ、太径部分１２１の基端部１２ａと取付溝１３との間に、サムターン軸１２を直径方向に貫通する貫通孔１４が設けられている。取付溝１３は、周方向に形成されており、図１に示すように、止めリング２０６がはめ込まれる。
【００１８】
２０は、サムターン軸１２を回転可能に保持する取付座である。この実施例では取付座２０は、サムターン胴２０１と座板２０２とから構成され、座板２０２にはサムターン軸１２を回転可能に挿通し得る円筒状の挿通部２０４が形成されている。座板２０２の先端面２０５と止めリング２０６との間に筒状のスペーサ２０７が配置されることにより、サムターン軸１２は、その軸方向への移動が規制された状態で取付座２０に回転可能に保持される。
座板２０２は、上部に形成されたネジ挿通孔２０８からネジ２０９を挿入しサムターン胴２０１のネジ孔２０１ａに螺入することによりサムターン胴２０１に固着される。
【００１９】
サムターン軸１２の太径部分１２１の先端部は、断面十字状の係止部１２ｂに形成されており、この十字状の係止部１２ｂが、錠ケースに内蔵された出没操作機構に接続される。サムターン軸１２の太径部分１２１の基端側にツマミ１１が連結された状態でツマミ１１を回すと、サムターン軸１２の係止部１２ｂが出没操作機構を介してデッドボルト１０８を進退させることができる。
【００２０】
サムターン軸１２の太径部分１２１の基端部１２ａ寄りに設けられた前記貫通孔１４は、直径方向に貫通して開設されており、その内部にコイルバネ１８が挿入される。このコイルバネ１８の両端に、後述のホルダー４０内において球体１９，１９が周方向に摺動可能に保持されるようになっている。
前記サムターン軸１２のフランジ１５には、上下２箇所に係合凹部１６，１６がそれぞれ形成されている。これらの係合凹部１６，１６には、ツマミ１１を構成する後述の可動ブロック５の係合凸部５ｆ，５ｇが係脱可能とされる。
【００２１】
サムターン軸１２の前記ガイド軸部１７には、軸方向に等間隔をあけて周方向に第１〜第３の係止溝１７ａ，１７ｂ，１７ｃが刻設されている。
【００２２】
ホルダー４０は、内径がサムターン軸１２の基端部側の外径よりもやや大径とされている。そして、内周面には、半径方向で対面する２箇所を他の内径よりも大径とした凹状の位置決め部２１，２１が設けられている。
この位置決め部２１，２１は、前記球体１９，１９を保持するもので、サムターン軸１２にホルダー４０を装着する際に球体１９，１９を収容しておく。
コイルバネ１８の押圧付勢により球体１９，１９が位置決め部２１，２１側に押圧され、サムターン軸１２に対してツマミ１１が回転したとき、１８０度の２位置に保持してツマミ１１を定位置に保つことができる。
【００２３】
また、このホルダー４０の外周面には、一対の脚部２２，２２が突設されている。各脚部２２，２２には、ネジ挿通孔２３が形成されており、このネジ挿通孔２３にネジ２４を挿通して、ツマミピース３１のネジ孔３６ａに螺入することにより、ホルダー４０をツマミピース３１，３２に組み付けるようになっている。
ツマミ１１は、サムターン軸１２に対して回転のみ可能で軸方向への移動を規制されたツマミ本体１１ａと、ツマミ本体１１ａ内に装着され、ツマミ本体１１ａに対し軸方向に移動可能な可動部材１１ｂを備える。ツマミ本体１１ａは、一対をなすツマミピース３１，３２の開放端同士を合わせ、サムターン軸１２のフランジ１５の周囲を周方向に回転可能に構成されている。
【００２４】
可動部材１１ｂは、可動ブロック５、ブロックカバー３３、係止部材６５，７５および押圧部材６８，７８から構成される。
可動ブロック５は、略矩形状で軸方向にガイド穴５ａが形成されている。このガイド穴５ａは、前記ガイド軸部１７よりもやや大径で、このガイド軸部１７が挿通されることにより、可動ブロック５が回転可能で、且つ、軸方向移動可能に保持される。
可動ブロック５に設けられたガイド穴５ａにガイド軸部１７が挿通され、可動ブロック５を介して可動部材１１ｂがガイド軸部１７に対して回動自在に、且つ、軸方向に移動可能に保持される。
【００２５】
可動ブロック５には、上面から下方に向けて第１摺動溝６１が形成され、下面から上方に向けて第２摺動溝７１が形成されている。第２摺動溝７１は第１摺動溝６１より先端側に間隔ｘを置いて形成されている。第１、第２摺動溝６１，７１はガイド穴５ａを径方向に越える位置まで形成されている。第１摺動溝６１と対向する下面には、第１バネ収納穴６３が開けられ、第２摺動溝７１と対向する上面には第２バネ収納穴７３が開けられている。第１バネ収納穴６３および第２バネ収納穴７３は、径方向に向けてガイド穴５ａに達しない深さで形成されている。第１摺動溝６１の溝底６１ａは第１バネ収納穴６３の穴底６３ａより下面寄りに深く形成され、第２摺動溝７１の溝底７１ａは第２バネ収納穴７３の穴底７３ａより上面寄りまで深く形成されている。
【００２６】
第１摺動溝６１には、第１係止部材６５の先端部６５ｃが上下方向に摺動可能に差し込まれ、第２摺動溝７１には、第２係止部材７５の先端部７５ｃが上下方向に摺動可能に差し込まれている。第１係止部材６５の上端部には、Ｌ字形の屈曲部６７が形成され、第１押圧部材６８の下部に係合されている。第２係止部材７５の下端部には、逆向きのＬ字形の屈曲部７７が形成され、第２押圧部材７８の上部に係合されている。第１係止部材６５と第１押圧部材６８とは一体に、第２係止部材７５と第２押圧部材７８とは一体に動く。第１係止部材６５には、軸挿通孔６６が設けられ、第２係止部材７５には、軸挿通孔７６が設けられている。軸挿通孔６６、７６は、ガイド軸部１７が挿通可能で、且つ、回転可能な大きさ・形状であり、実施例ではガイド軸部１７よりわずかに径の大きい円形である。
【００２７】
第１バネ収納穴６３、第２バネ収納穴７３には、第１コイルバネ６４、第２コイルバネ７４が収納されている。
第１押圧部材６８には第２バネ収納穴７３を覆う被覆部６８ａが一体に形成され、第２コイルバネ７４の径方向外端７４ａが当接している。第２押圧部材７８には第１バネ収納穴６３を覆う被覆部７８ａが一体に形成され、第１コイルバネ６４の径方向外端６４ａが当接している。第１係止部材６５の先端６５ｃは第１コイルバネ６４の内端６４ｂに当接し、第２係止部材７５の先端７５ｃは第２コイルバネ７４の内端７４ｂに当接している。これにより第１係止部材６５、第２係止部材７５は径方向外側に付勢される。
【００２８】
第１押圧部材６８は内径方向を内方向規制面６８ａによって規制され、外径方向を外方向規制面６８ｂによって規制されている。同様に第２押圧部材７８は内径方向を内方向規制面７８ａによって規制され、外径方向を外方向規制面７８ｂによって規制されている。これにより第１押圧部材６８、第２押圧部材７８は径方向の所定間隔内を移動可能である。第１押圧部材６８の外方向規制面６８ｂが当接しているとき軸挿通孔６６はガイド軸部１７と径方向に一致しない位置にあり、第１押圧部材６８が内方向規制面に当接しているとき軸挿通孔６６はガイド軸部１７と径方向に一致する位置にある。
【００２９】
さらに、この可動ブロック５には、先端側の端面上下に係合凸部５ｆ，５ｇが突設されている。これらの係合凸部５ｆ，５ｇは、前記サムターン軸１２のフランジ１５に設けた係合凹部１６，１６にそれぞれ係合可能な形状となっていて、係合時に可動ブロック５とサムターン軸１２とは一体的に回転する。
また、この可動ブロック５は、基端側の端面上下にＬ字状および逆Ｌ字状の被噛合部５ｈ，５ｉが突設されている。これら被噛合部５ｈ，５ｉには、ブロックカバー３３の噛合部３３ｂ，３３ｃが噛合され一体となる。
【００３０】
ツマミ本体１１ａを構成する左右のツマミピース３１，３２は、それぞれ板状に形成された二つ割り構造となっており、その各開放端部同士を重ね合わせるように突き合せて、その軸挿通孔内に前記可動ブロック５を収容可能となっている。
そして、各ツマミピース３１，３２の外表面には、湾曲状に凹んだ把持部３１ａ，３２ａが設けられており、手指で左右のツマミピース３１，３２を把持操作し易いようにしている。
【００３１】
左側ツマミピース３１には、先端部内面の上下部に周縁に沿って側壁３５，３５が立設されている。そして、この各側壁３５，３５には、互いに向き合う接合部３６，３６がそれぞれ設けられている。各接合部３６，３６には、ネジ孔３６ａ，３６ａが形成されており、前記ホルダー４０側からのネジ２４が螺入される。
また、右側ツマミピース３２には、先端部内面の上下部に互いに内向きの被接合部３７，３７が突設されている。この被接合部３７，３７には、ネジ挿通孔３７ａ，３７ａがそれぞれ形成されており、前記ホルダー４０側からのネジ２４が挿通される。
【００３２】
なお、接合部３６，３６と被接合部３７，３７とは、左右のツマミピース３１，３２を重ね合わせたとき、前後方向で相互に接合する位置に形成されている。これにより、両者の接合位置では、ネジ孔３６ａ，３６ａとネジ挿通孔３７ａ，３７ａとが一致する。
よって、ホルダー４０のネジ挿通孔２３，２３およびネジ挿通孔３７ａ，３７ａを介して前記ネジ２４をネジ孔３６ａ，３６ａに螺入することにより、ホルダー４０と左右のツマミピース３１，３２とが一体的に組み付けられる。
【００３３】
また、左右のツマミピース３１，３２には、裏面先端側において半円形状に凹む切欠き３９が形成されている。この切欠き３９は、前記サムターン軸１２のフランジ１５の外径に対応しており、サムターン軸１２を挟んで左右のツマミピース３１，３２を重ね合わせたとき、切欠き３９内にフランジ１５が位置する。
さらに、左側ツマミピース３１の裏面基端側には、板面に対して垂直な２本の支軸３８，３８が突設されている。この支軸３８，３８は、左右のツマミピース３１，３２を重ね合わせたとき、ガイド軸部１７の基端側における位置決め作用を果たすとともに、右側ツマミピース３２の裏面に当接して左右のツマミピース３１，３２間の間隔を保持する。
【００３４】
ブロックカバー３３は、本体部３３ａの基端面が弓形状で、外周面を左右のツマミピース３１，３２の基端面に略等しい形状にしている。
このブロックカバー３３は、内周面の上部にＬ字状の噛合部３３ｂが、下部に逆Ｌ字状の噛合部３３ｃがそれぞれ突設されている。これらの噛合部３３ｂ，３３ｃは、前記可動ブロック５の被噛合部５ｈ，５ｉに噛合可能な形状となっている。
これにより、被噛合部５ｈ，５ｉの延出方向に合わせて噛合部３３ｂ，３３ｃを挿入して接合すると、両者が噛み合ってブロックカバー３３を可動ブロック５に一体化することができる。
【００３５】
本実施例のサムターン装置１０の組立構造について概要を説明する。
まず、第１押圧部材６８に第１係止部材６５のＬ字形の屈曲部６７を係止し、第２押圧部材７７に第２係止部材７５のＬ字形の屈曲部７８を係止する。
そして、可動ブロック５の第１バネ収納穴６３、第２バネ収納穴７３に、コイルバネ６４，７４をそれぞれ収納した状態で、第１摺動溝６１に第１係止部材６５の先端部６５ｃを係止し、かつ、第２摺動溝７１に第２係止部材７５の先端部７５ｃを係止する。
コイルバネ６４，７４の各一端が、第１押圧部材６８、第２押圧部材７８の各被覆部６８ａ，７８ａの底面にそれぞれ当接する。
【００３６】
次いで、第１、第２押圧部材６８，７８の押圧部６８ｄ，７８ｄを例えば親指と人差し指で把持し、コイルバネ６４，７４の弾発力に抗して各被覆部６８ａ，７８ａの底面が可動ブロック５の上面および下面に当接する位置まで第１押圧部材６８を押し下げ、第２押圧部材７８を押し上げる。
このとき、可動ブロック５のガイド穴５ａと第１、第２係止部材６５，７５の各軸挿通孔６６，７６とが一致する。
【００３７】
可動ブロック５の被噛合部５ｈ，５ｉに、ブロックカバー３３の噛合部３３ｂ，３３ｃを噛合させ、ガイド穴５ａにサムターン軸１２のガイド軸部１７を挿入し可動ブロック５がブロックカバー３３に当接させると、第１，第２係止溝１７ａ、１７ｂに第１、第２係止部材６５，７５の各軸挿通孔６６，７６が一致した位置で止まる。
ここで、押圧部材６８，７８を放すと、コイルバネ６４，７４の弾発力により第１、第２係止部材６５，７５が移動し、各軸挿通孔６６，７６の周縁が第１、第２係止溝１７ａ，１７ｂにそれぞれ係止される。この状態は、図２〜４に示すように、可動ブロック５の係合凸部５ｆ，５ｇがサムターン軸１２の係合凹部１６，１６と非係合位置にあり、サムターン軸１２に対して、ツマミ１１は空転する状態となっており、この状態に保持される。
【００３８】
可動ブロック５にブロックカバー３３を噛合したとき、ブロックカバー３３の先端面が第１、第２押圧部材６８，７８の基端をそれぞれ支持する。
上記の、ツマミ１１の空転状態の保持位置では、第１、第２押圧部材６８，７８が、コイルバネ６４，７４の弾発力により径方向外側へ押圧力により付勢され第１、第２押圧部材６８，７８はツマミピース３１，３２の上、下端部より突出した状態にある。
なお、ツマミピース３１，３２は、左右のツマミピース３１，３２を重ね合わせ、軸方向に隣接して位置する接合部３６と被接合部３７とを合わせる。
このとき、各接合部３６のネジ孔３６ａと被接合部３７のネジ挿通孔３７ａとが一致する。
【００３９】
サムターン軸１２の貫通孔１４にはコイルバネ１８を挿入しておき、その両端にボール１９，１９を置いた状態で組み込まれる。
そして、ホルダー４０の位置決め部２１，２１内にボール１９，１９を保持した状態で、ツマミピース３１，３２にホルダー４０の各脚部２２，２２が組み付けられ、脚部２２，２２のネジ挿通孔２３にネジ２４を挿通し、ツマミピース３１のネジ孔３６ａにそれぞれ螺入される。
【００４０】
これによりツマミピース３１，３２に押圧部材６８，７８が保持された状態でホルダー４０が組み付けられる。ホルダー４０の内面は球体が滑らかに摺動し得る円筒面に形成され、１８０度ごとに位置する位置決め部２１において内径がやや大きく形成されており、これによってサムターン軸に対するツマミ１１の周方向の位置決めがなされている。球体１９が位置決め部２１に位置するとき、可動ブロック５の係合凸部５ｆ，５ｇがサムターン軸１２の係合凹部１６に係合可能な対応位置にある。なお、サムターン軸に対するツマミ１１の周方向の位置決めは対応する面に異なる磁極の磁石を設けることにより行うこともできる。
【００４１】
空転モードでは、図２に示すように押圧部材６８，７８の各先端側とツマミピース３１，３２の各側壁３５，３５との間に間隙Ｇが生じている。
よって、押圧部材６８，７８が、ツマミピース３１，３２の各側壁３５，３５の間において進退可能となる。
これにより、可動部材１１ｂを軸方向に移動し得るツマミ１１が構成される。
【００４２】
すなわち、可動ブロック５が基端側に位置するときは、第１、第２係止部材６５，７５の各軸挿通孔６６，７６がガイド軸部１７の第１、第２係止溝１７ａ，１７ｂにそれぞれ係止される。
このときは、図２に示すように、サムターン軸１２のフランジ１５の係合凹部１６から可動ブロック５の係合凸部５ｆ，５ｇが離脱しており、サムターン軸１２に対しツマミ１１は空転する状態の空転モードであり自在に回転可能であるが、ツマミ１１を回転してもサムターン軸１２は回動しない。
【００４３】
次に、押圧部材６８，７８を把持して押し込むと、可動ブロック５のガイド穴５ａの中心と第１、第２係止部材６５，７５の各軸挿通孔６６，７６の中心とが一致する。
この状態で、押圧部材６８，７８を先端方向に押すと可動ブロック５が先端方向に移動する。
【００４４】
すると、図９〜１１に示す如く第２、第３係止溝１７ｂ，１７ｃに第１、第２係止部材６５，７５の各軸挿通孔６６，７６の周縁が係止される。
このとき、図９、図１０に示すようにフランジ１５の係合凹部１６，１６に可動ブロック５の係合凸部５ｆ，５ｇが係合されて、ツマミ１１とサムターン軸１２とが連結状態となり、ツマミ１１の回転によりサムターン軸１２を回転操作可能な状態の操作モードの位置になる。
即ち、この操作モードの位置で、ツマミ１１を左右の何れかに回すと、サムターン軸１２も一体的に回転する。
【００４５】
本実施例のサムターン装置１０は、空転モード（ツマミ１１の可動部材１１ｂとサムターン軸１２との非係合状態）においては、サムターン回しなどの不正解錠操作によりツマミ１１を回転しても、ツマミ１１は空転するだけで、サムターン軸１２は回転しないので扉錠を開錠することはできない。
【００４６】
ツマミ１１をサムターン軸１２に係合させるには、各押圧部材６８，７８を指でつかみ、コイルバネ６４，７４の付勢力に対抗して径方向内側へ押し込み、そのまま押圧部材６８，７８をサムターン軸１２の先端側に向けて移動させて係合させる。この際、押圧部材６８，７８が一対配置されているため、何れか１個のみ設けられている場合に比して均等な力が両方に加わらない限り、ツマミ１１をサムターン軸１２に係合させることは困難であり、工具を利用して不正解錠することがきわめて困難となる。
押圧部材６８，７８が軸径方向に押し込まれて内端まで移動すると、図６〜８に示すように、第１、第２係止部材６５，７５の各軸挿通孔６６，７６が、ガイド軸部１７と略一致する位置となりガイド軸部１７を軸方向に摺動可能となる。
【００４７】
そして、図１０に示すように可動ブロック５のガイド軸１７上の先端側への移動が規制された時点で押圧部材６８，７８の把持を止めると、図９〜１１に示すように、コイルバネ６４，７４の付勢力によって第１、第２係止部材６５，７５が径方向外側に移動し、その軸挿通孔６６内縁が第２係止溝１７ｂに，軸挿通孔７６の内縁が第３係止溝１７ｃに係止される。
この状態では、サムターン軸１２のフランジ１５の係合凹部１６，１６に可動ブロック５の係合凸部５ｆ，５ｇが係合されて、ツマミ１１とサムターン軸１２とが連結状態となり、ツマミ１１とサムターン軸１２とが一体的に回転する操作モードの位置になる。
ここで、ツマミ１１を左右の何れかに回すと、サムターン軸１２も一体的に回転し、扉錠１のデッドボルト１０８が戸先側端面から出没する。このデッドボルト１０８の出没、つまり前進または後退によって施錠、解錠がなされる。
【００４８】
本実施例のサムターン装置１０も、通常のサムターン装置と同様に、ツマミ１１は、解錠時が縦向き状態とされ、施錠時が横向き状態とされる（図１２、図１３は、共に施錠時の横向き状態を示す。）。
空転モードにおいては、上述のコイルバネ１８と球体１９，１９の配置により、ツマミ１１はサムターン軸１２に対して、１８０度毎に周方向の位置決めがなされる。
よって、ツマミ１１の長方形状の基端面を、解錠状態では縦向き状態とすると共に、施錠状態では横向き状態となるように取り付けることで、位置決めが自動的になされ、施錠状態か解錠状態であるかを常に正しく視認することが可能となる。
【００４９】
ところで、本実施例のサムターン装置１０は、上述したように、施錠、解錠の際にツマミ１１とサムターン軸１２とを係合させる必要があり、空転モードではツマミ１１とサムターン軸１２とは係合しておらず、ツマミ１１はサムターン軸１２に対して空転する。
空転モードでは、図１２（ａ）〜（ｄ）に示すように、ブロックカバー３３がツマミピース３１，３２の外周縁から外方に突出し、つまみ１１が空転モードにあることを視認できる。
そして、この空転モードにおいて、不正解錠しようと室外側から針金や紐などでツマミ１１を回転させても、サムターン軸１２に対してツマミ１１が単に空転するだけで、サムターン軸１２を回転させることができず、扉錠の不正解錠が防止される。
【００５０】
特に、本実施例のサムターン装置１０は、コイルバネ６４，７５により押圧部材６８，７８が径方向外側に押圧付勢力を受けている。
また、第１、第２係止溝１７ａ，１７ｂに第１、第２係止部材６５，７５の各軸挿通孔６６，７６の内縁が係止されて移動が規制されている。
従って、例えば不正解錠をするために、針金などの道具を用いて押圧部材６８，７８を押し込もうとした場合、サムターン軸１２の径方向内側へ押し込み、さらに、ツマミ１１の可動部材１１ｂを軸方向先端側へ移動させなければならず、このような一連の操作はほとんど不可能である。
【００５１】
このように、本実施例のサムターン装置１０によれば、施錠、解錠するためには、ツマミ１１の各押圧部材６８，７８をサムターン軸１２の径方向内側へ押し込むと共に、軸方向先端側へ移動させる必要がある。これらの押し込み移動操作を室外側から工具等により行うことは困難であり、不正解錠が防止される。
また、室内に人がいるときには、押圧部材６８，７８を押し込むと共に可動部材１１ｂを軸方向先端側に移動させてツマミ１１とサムターン軸１２とを連結した状態、即ち操作モードの位置に移動させておくことによりツマミ１１で、施錠、解錠操作する場合、押圧部材６８，７８を押し込んだり移動させると言う格別の操作は不要で、従来のツマミと同様、単に回転するだけで施錠、解錠ができるので手際に便利である。操作する際毎に可動部材を先端方向に押す必要なく操作できるものである。
係止部材の半径方向外端に、係止部材と一体に設けられた押圧部材が設けられ、ツマミ本体の外部から操作可能であることにより、操作性がよく、さらに押圧部材の移動位置が前記ツマミ本体の外部から視認可能であることにより、押圧部材の位置でモードの状態が確認できる。
またブロックカバー等を設けることによりモードの状態の確認がよりし易くなるものであり、さらにまた、ツマミの位置決めにより、ツマミを操作モードにする時、必ず正しい向きになるので、従来と同様ツマミの向きによって施錠、解錠状態が一目で判別できる。
【図面の簡単な説明】
【００５２】
【図１】本実施例のサムターン装置の空転モードの状態を示す縦断面図である。
【図２】図１のＸ−Ｘ線に沿う縦断面図である。
【図３】図２のＡ−Ａ断面図である。
【図４】図２のＢ―Ｂ断面図である。
【図５】サムターン装置を構成する各部品を示す展開斜視図である。
【図６】サムターン装置の押圧部材を押し込んで先端方向に少し移動した状態を示す縦断面図である。
【図７】図６のサムターン軸に沿う横断面図である。
【図８】図７のＡ−Ａ断面図である。
【図９】サムターン装置の操作モードを示す縦断面図である。
【図１０】図９のサムターン軸に沿う横断面図である。
【図１１】図１０のＡ−Ａ断面図である。
【図１２】サムターン装置のツマミが空転位置にある状態を示す説明図であり、（ａ）は斜視図、（ｂ）は平面図、（ｃ）は左側面図、（ｅ）は正面図である。
【図１３】サムターン装置のツマミが操作位置にある状態を示す説明図であり、（ａ）は斜視図、（ｂ）は平面図、（ｃ）は左側面図、（ｅ）は正面図である。
【図１４】本発明のサムターン装置を扉に取り付けた態様の概要を示す平面図である。
【符号の説明】
【００５３】
５ｆ，５ｇ  係合凸部
１１  ツマミ
１１ａ  ツマミ本体
１１ｂ  可動部材
１２  サムターン軸
１５  フランジ
１６  係合凹部
１７  ガイド軸
１７ａ，１７ｂ，１７ｃ  係止溝
１８  コイルバネ
３１，３２  ツマミピース
６１，７１  第１、第２摺動部材
６５，７５  第１、第２係止部材
６６，７６  軸挿通孔
６８，７８  第１押圧部材、第２押圧部材
【図１】
2006257840.tif 000003
【図２】
2006257840.tif 000004
【図３】
2006257840.tif 000005
【図４】
2006257840.tif 000006
【図５】
2006257840.tif 000007
【図６】
2006257840.tif 000008
【図７】
2006257840.tif 000009
【図８】
2006257840.tif 000010
【図９】
2006257840.tif 000011
【図１０】
2006257840.tif 000012
【図１１】
2006257840.tif 000013
【図１２】
2006257840.tif 000014
【図１３】
2006257840.tif 000015
【図１４】
2006257840.tif 000016